(57)【要約】【課題】ＡＦキャリブレーション時の操作が容易で、煩雑な設定が必要でなく、かつＡＦキャリブレーションに必要な撮影画像が確実に得られるカメラを提供する。【解決手段】焦点検出手段を有するカメラにおいて装着された撮影レンズを判定手段と、撮像手段と、撮影レンズ判定手段による判定結果と、撮像手段により得られた画像データに基づき焦点検出手段による撮影レンズの合焦位置を補正する補正量を算出／設定する補正量算出モードと、補正量算出モードにて算出された補正量を、装着された撮影レンズ毎に記憶する記憶手段と、通常撮影時には撮影レンズ判定手段の判定結果に基づき、記憶手段に記憶された補正量を焦点検出手段の出力信号に加味するものであって、補正量算出モード時おいて、レンズとカメラのどちらか一方、または両方を所定の撮影条件の設定する撮影条件設定手段を有することを特徴とする。【選択図】        図２
2006208782.tif 000002
【特許請求の範囲】
【請求項１】
焦点検出手段を有するカメラにおいて装着された撮影レンズを判定手段と、撮像手段と、前記撮影レンズ判定手段による判定結果と、前記撮像手段により得られた画像データに基づき前記焦点検出手段による前記撮影レンズの合焦位置を補正する補正量を算出／設定する補正量算出モードと、
前記補正量算出モードにて算出された補正量を、装着された撮影レンズ毎に記憶する記憶手段と、通常撮影時には前記撮影レンズ判定手段の判定結果に基づき、前記記憶手段に記憶された補正量を前記焦点検出手段の出力信号に加味するものであって、
前記補正量算出モード時おいて、レンズとカメラのどちらか一方、または両方を所定の撮影条件の設定する撮影条件設定手段を有することを特徴とするカメラ。
【請求項２】
前記撮影条件設定手段は、レンズの絞込み駆動を禁止することを特徴とする請求項１記載のカメラ。
【請求項３】
前記撮影条件設定手段は、所定のＴｖ値より高速側になるように撮像素子のゲインを変更することを特徴とする請求項１記載のカメラ。
【請求項４】
前記所定のＴｖ値とは１／焦点距離であることを特徴とする請求項３記載のカメラ。
【請求項５】
前記撮影条件設定手段は、防振レンズ装着時は、防振機能を自動的にＯＮすることを特徴とする請求項１記載のカメラ。
【請求項６】
前記撮影条件設定手段は、補助光の投光を禁止することを特徴とする請求項１記載のカメラ。
【請求項７】
前記撮影条件設定手段は、補助光を使用してＡＦ補正した時のＡＦ補正値のデータと、通常の撮影状況でＡＦ補正した時のＡＦ補正値のデータとを分けて管理することを特徴とする請求項１記載のカメラ。
【請求項８】
前記撮影条件設定手段は、ドライブモードを自動的に設定することを特徴とする請求項１記載のカメラ。
【請求項９】
前記ドライブモードは単写であることを特徴とする請求項８記載のカメラ。
【請求項１０】
前記撮影条件設定手段は、所定の操作部材以外の信号を受け付けないことを特徴とする請求項１記載のカメラ。
【請求項１１】
前記撮影条件設定手段は、撮影画像の記録形式を自動的に設定することを特徴とする請求項１記載のカメラ。
【発明の詳細な説明】
【技術分野】
【０００１】
本発明はデジタルカメラのオートフォーカス（以下ＡＦと略す）キャリブレーションに関し、特にユーザがＡＦキャリブレーションを行う際の撮影条件設定方法に係るカメラに関するものである。
【背景技術】
【０００２】
従来、一眼レフカメラでは、一般的にＴＴＬ位相差方式の焦点検出方法が使用されている。しかしながらこの位相差方式で検出される合焦位置を実際の撮像面に一致させることは困難である。これは、位相差方式のセンサモジュールをカメラ本体に取り付ける際に発生する誤差や、センサモジュールを構成する光学系の寸法誤差などカメラ本体側の誤差と、カメラ本体とは別に製造された撮影レンズの製造誤差などの要因によるものである。
【０００３】
また、製造誤差を補正する方法として、位相差方式の第一の焦点検出手段と、撮像素子の画像信号からコントラストを評価してオートフォーカスを行う第二の焦点検出手段を有し、第一・第二の検出手段によるオートフォーカスデータから相対ズレ量を算出し、第一の焦点検出手段のオートフォーカスデータに補正を加えることで、カメラ本体側の誤差を補正する方法が特許文献１にて公開されている。
【０００４】
さらに、ユーザ自身が撮影レンズ毎に合焦位置を補正する方法が本出願人により提案されている。ユーザ自身がカメラとレンズの製造誤差に起因する合焦位置のズレ、または経時的に生じる合焦位置のズレを調整するために、製造時に調整されたＡＦの合焦位置から前後に合焦位置を微少量ずらして撮影を行い、ユーザが狙った合焦位置に最も合致している撮影画像を選択すると、既存のＡＦ補正値に選択された撮影画像のＡＦ補正値を加味させることができるようにする方法がある。
【特許文献１】特開２０００−２９２６８４号公報
【発明の開示】
【発明が解決しようとする課題】
【０００５】
しかしながら、上記従来例のカメラシステムには下記のような問題があった。
【０００６】
特許文献１の場合、ある１種類の撮影レンズとカメラ本体の組み合わせにおいては、製造誤差による合焦位置にずれに対する補正は可能である。しかしながら、一眼レフカメラの場合、複数の撮影レンズが装着可能であり、撮影レンズが交換された場合においては補正されないので、合焦位置のズレという問題が発生してしまう。この対策については特許文献１には記載されていない。
【０００７】
また、本出願人より提案されている手法においては、上記問題を解決することが可能である。
【０００８】
しかしながら、ユーザが任意の撮影条件で撮影行い、撮影画像の合焦位置が不明確であると、正確な補正が行えないという問題が発生してしまう。
【０００９】
また、これに伴い、撮影画像の合焦位置が明確になるように、撮影条件をキャリブレーション作業毎に設定するのは、操作が煩雑になるという点で問題である。
【００１０】
また、補助光の投光の有無により合焦位置の補正値の算出が異なるため、一連のキャリブレーション作業においてこれを混同してしまうと、正確な補正が行えないという問題が発生してしまう。
【００１１】
上記の問題を鑑みて、本発明の目的とするところは、ユーザがＡＦ補正値の調整を行うために撮影を行う際、操作が容易になると共に、撮影した画像の合焦位置が明確になる特殊な撮影モードで撮影できるカメラを提供することである。
【課題を解決するための手段】
【００１２】
上記の目的を達成するために、本発明は、焦点検出手段を有するカメラにおいて装着された撮影レンズを判定手段と、撮像手段と、前記撮影レンズ判定手段による判定結果と、前記撮像手段により得られた画像データに基づき前記焦点検出手段による前記撮影レンズの合焦位置を補正する補正量を算出／設定する補正量算出モードと、前記補正量算出モードにて算出された補正量を、装着された撮影レンズ毎に記憶する記憶手段と、通常撮影時には前記撮影レンズ判定手段の判定結果に基づき、前記記憶手段に記憶された補正量を前記焦点検出手段の出力信号に加味するものであって、前記補正量算出モード時おいて、レンズとカメラのどちらか一方、または両方を所定の撮影条件の設定する撮影条件設定手段を有することを特徴とする。
【００１３】
また本発明の別の態様によれば、前記撮影条件設定手段はレンズの絞込み駆動を禁止する。
【００１４】
また本発明の別の態様によれば、所定のＴｖ値より高速側になるように撮像素子のゲインを変更する。
【００１５】
また本発明の別の態様によれば、所定のＴｖ値とは１／焦点距離であることを特徴とする。
【００１６】
また本発明の別の態様によれば、前記撮影条件設定手段は防振レンズ装着時に、防振機能を自動的にＯＮする。
【００１７】
また本発明の別の態様によれば、前記撮影条件手段は補助光の投光を禁止する。
【００１８】
また本発明の別の態様によれば、前記撮影条件設定手段は、補助光を使用してＡＦした時のＡＦ補正値のデータと、補助光を使用せずにＡＦした時のＡＦ補正値のデータとを分けて管理するようにしてもよい。
【００１９】
また本発明の別の態様によれば、前記撮影条件設定手段はドライブモードを自動的に設定する。
【００２０】
また本発明の別の態様によれば、前記ドライブモードは単写であることを特徴とする。
【００２１】
また本発明の別の態様によれば、前記撮影条件設定手段は、所定の操作部材以外の信号を受け付けない。
【００２２】
また本発明の別の態様によれば、前記撮影条件設定手段は撮影画像の記録形式を自動的に設定する。
【発明の効果】
【００２３】
本発明によれば、ＡＦキャリブレーションのモード入ると自動的に撮影条件を設定できるようにしたために煩雑な設定作業を省くことを可能にした。
【００２４】
また、ＡＦキャリブレーション時の設定でレンズの絞込み駆動を禁止することにより、合焦位置が明確な画像を得ることを可能にした。またレンズ絞り駆動を禁止することにより、ＡＦキャリブレーション時の消費電力を減らすことができた。
【００２５】
また、ＡＦキャリブレーション時の設定で所定のＴｖ値より高速側になるように撮像素子のゲインをアップさせることにより、手ブレを防止し、合焦位置が明確な画像が得られことを可能にした。
【００２６】
また、ＡＦキャリブレーション時の設定で防振レンズ装着時に防振機能を自動的ＯＮにすることにより、手ブレを防止し、合焦位置が明確な画像が得られるようになった。
【００２７】
また、ＡＦキャリブレーション時の設定で補助光の投光を禁止することにより、ＡＦ補正値の算出条件を統一することができ、正確なＡＦキャリブレーションを行うことを可能にした。同時に、ＡＦキャリブレーション時に消費される電力を低減することができた。
【００２８】
また、ＡＦキャリブレーション時の設定で補助光を投光した時の補正値のデータと、補助光を投光しなかった時の補正値のデータを分けて管理することにより、算出方法が違う双方の補正値のデータを混同せずに管理することを可能にした。これにより、正確なＡＦキャリブレーションを行うことが可能になった。
【００２９】
また、ＡＦキャリブレーション時の設定でドライブモードを自動的に単写にすることによって、余計な撮影を防ぐことができるとともに、一連のキャリブレーション作業における撮影枚数を常に一定にすることを可能にした。またＡＦブラケットと画像が１対１の対応が取れるようになったため、画像選択の作業の煩雑さを低減することを可能にした。
【００３０】
また、ＡＦキャリブレーション時の設定で所定の操作部材の信号以外は受け付けないようにすることで、ＡＦキャリブレーション作業中の誤操作を防ぐと共に作業をより容易にすることを可能にした。
【００３１】
また、ＡＦキャリブレーション時の設定で記録形式を自動的に設定することにより、合焦位置が明確に判別可能な撮影画像を記録することができるようにした。またこれにより撮影画像のデータが過剰に大きくなるのを防ぐことが可能である。
【発明を実施するための最良の形態】
【００３２】
以下に本発明の実施例を示す。
【実施例１】
【００３３】
図１に示すように本実施形態の電子カメラ２００は、撮影レンズユニット１００が不図示のマウント機構を介し着脱可能に取り付けられる。マウント部には、電気的接点群１０７を有し、電子カメラ２００と撮影レンズユニット１００の間で通信を行い撮影レンズのレンズ１０１・絞り１０２の駆動を行う。
【００３４】
図示されない被写体像からの撮影光束が、撮影レンズ１０１及び光量を調節するための露出手段である絞り１０２を介して、図示する矢印方向に回動可能なクイックリターンミラー２０２に導かれる。クイックリターンミラー２０２の中央部はハーフミラーになっており、該クイックリターンミラー２０２がダウンした際に一部の光束が透過する。そして、この透過した光束は、クイックリターンミラー２０２に設置されたサブミラー２０３で反射され、ＡＦセンサ２０４に導かれる。
【００３５】
一方、クイックリターンミラー２０２で反射された撮影光束は、ペンタプリズム２０１、接眼レンズ２０６を介して撮影者の目に至る。
【００３６】
また、クイックリターンミラー２０２がアップした際には、上記撮影レンズ１０１からの光束は、フィルタ２０９、機械シャッタであるフォーカルプレーンシャッタ２０８を介して撮像素子としてのＣＭＯＳ等に代表されるイメージセンサ２１０に至る。上記フィルタ２０９は２つの機能を有しているもので、１つは赤外線をカットし可視光線のみをイメージセンサ２１０へ導く機能であり、もう１つは光学ローパスフィルタとしての機能である。また、フォーカルプレーンシャッタ２０８は、先幕及び後幕を有して成るもので、撮影レンズ１０１からの光束を透過、遮断を制御する遮光手段である。
【００３７】
なお、クイックリターンミラー２０２のアップ時には、サブミラー２０３は折り畳まれるようになっている。
【００３８】
また、本実施形態の電子カメラ２００は、当該電子カメラ全体の制御を司るＣＰＵにより構成されるシステムコントローラ２２３を備え、後述する各部の動作を適宜制御する。
【００３９】
上記システムコントローラ２２３は、上記撮影レンズ１０１を光軸方向に移動してピント合わせを行うためのレンズ駆動機構１０３を制御するレンズ制御回路１０４と、上記絞り１０２を駆動するための絞り駆動機構１０５を制御する絞り制御回路１０６と、上記撮影レンズを駆動させて手ブレを軽減するためのＩＳ駆動機構１０８を制御するＩＳ制御回路１０９と、クイックリターンミラー２０２のアップダウンの駆動及びフォーカルプレーンシャッタ２０８のシャッタチャージを制御するシャッタチャージ・ミラー駆動機構２１１と、フォーカルプレーンシャッタ２０８の先幕、後幕の走行を制御するためのシャッタ制御回路２１２と、上記接眼レンズ２０６の近傍に配設された測光センサに接続された測光回路２０７と、当該電子カメラ２００を制御する上で調整が必要なパラメータが記憶されているＥＥＰＲＯＭ２２２と等が接続されている。
【００４０】
なお、前記システムコントローラ２２３と前記撮影レンズユニット１００の双方が電子接点群１０７を介して通信を行うことによりレンズの判別が行われている。
【００４１】
なお、システムコントローラ２２３にて算出されたＡＦ補正の値はＥＥＰＲＯＭ２２２とレンズ制御回路１０４のどちらか一方、又は両方に記憶される。
【００４２】
なお、ユーザが後述の操作部材によって「ＡＦキャリブレーションモード」を選択すると、各制御回路、ユニットに信号を送り、カメラとレンズのどちらか一方、または両方を所定の設定にする。所定の設定の詳細は後述するが、レンズ１００の絞込み駆動を禁止する、撮像素子のゲインアップを行う、防振レンズの防振機能を自動的に起動する、補助光の投光を禁止する、ドライブモードが自動的に設定される、画像の記録形式が自動的に設定される等が上げられる。
【００４３】
なお、システムコントローラ２２３が電気的接点群１０７を介して絞り制御回路１０６に電気的信号を送ることによって絞込みの禁止が行われる。
【００４４】
また、当該電子カメラ２００にはパーソナルコンピュータ（ＰＣ）に代表される外部制御装置３００が接続可能になっており、通信インターフェース回路４０を介して該パーソナルコンピュータ２００とシステムコントローラ２２３とが通信可能になされている。
【００４５】
上記測光回路２０７に接続される測光センサは、図示されない被写体の輝度を測定するためのセンサであり、その出力は測光回路２０７を経てシステムコントローラ２２３へ供給される。
【００４６】
また、上記システムコントローラ２２３は、上記レンズ駆動機構１０３を制御することにより、被写体像をイメージセンサ２１０上に結像する。また、上記システムコントローラ２２３は、ＩＳ制御回路１０９を介してＩＳ駆動機構１０８を制御することができ、ＩＳ駆動機構でレンズ１０１を駆動させる事によりイメージセンサ２１０上に結像した被写体像がぶれるのを防止している。
【００４７】
なお、上記システムコントローラ２２３が電気的切片１０７を介してＩＳ駆動回路１０９に電気的信号を送ることによって防振機能の自動ＯＮが行われる。
【００４８】
また、上記システムコントローラ２２３は、設定されたＡｖ値に基づいて、絞り１０２を駆動する絞り駆動機構１０５を制御し、更に、設定されたＴｖ値に基づいて、上記シャッタ制御回路２１２へ制御信号を出力する。
【００４９】
上記フォーカルプレーンシャッタ２０８の先幕、後幕は、駆動源がバネにより構成されており、シャッタ走行後次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップダウンが行われる。
【００５０】
なお、上記システムコントローラ２２３は「ＡＦキャリブレーション」に入ったことを認識すると、上記シャッタ制御回路２１２と上記シャッタチャージ・ミラー駆動機構２１１と通信を行い、シャッタ、ミラーの駆動（ドライブモード）の設定を行うことができる。
【００５１】
また、上記システムコントローラ２２３には、画像データコントローラ２２０が接続されている。この画像データコントローラ２２０は、ＤＳＰ（デジタル信号プロセッサ）により構成される補正データサンプル手段及び補正手段であり、イメージセンサ２１０の制御、該イメージセンサ２１０から入力された画像データの補正や加工などをシステムコントローラ２２３の指令に基づいて実行するものである。
【００５２】
上記画像データコントローラ２２０には、イメージセンサ２１０を駆動する際に必要なパルス信号を出力するタイミングパルス発生回路２１７と、イメージセンサ２１０と共にタイミングパルス発生回路２１７で発生されたタイミングパルスを受けて、該イメージセンサ２１０から出力される被写体像に対応したアナログ信号のゲインを調整するＡＧＣ２３３とゲインが調整されたアナログ信号をデジタル信号に変換するためのＡ／Ｄコンバータ２１６と、得られた画像データ（デジタルデータ）を一時的に記憶しておくＤＲＡＭ２２１と、Ｄ／Ａコンバータ２１５及び画像圧縮回路２１９とが接続されている。
【００５３】
上記ＤＲＡＭ２２１は、加工や所定のフォーマットへのデータ変換が行われる前の画像データを一時的に記憶するための記憶手段として使用される。
【００５４】
なお、光回路２０７にて測光を行い、システムコントローラにて露出値を決定し、その露出値に基づいて算出されたＴｖ値が所定の値（１／レンズの焦点距離）以下であった場合、所定の値（１／レンズの焦点距離）以上になるようＡＧＣ２３３にてゲインアップを行うことができる。
【００５５】
また、上記Ｄ／Ａコンバータ２１５には、エンコーダ回路２１４を介して画像表示回路２１３が接続される。更に、画像圧縮回路２１９には、画像データ記録メディア２１８が接続される。
【００５６】
なお、システムコンローラ２２３は画像データコントローラ２２０を介し、画像圧縮回路２１９に信号を送ることにより、画像の形式と圧縮率の設定を行うことができる。ここで画像は合焦位置を見分けるのに十分な画質であり、かつ、容量が必要以上に大きくならない程度に圧縮される。一般的にカメラはＲＡＷ形式、ＪＰＥＧ形式の両方の形式で画像を記憶することができ、かつＪＰＥＧ形式の時には圧縮率を高、中、低の３段階の中から選択することができる。本実施例ではＡＦキャリブレーション時に撮影した画像はＪＰＥＧ形式の圧縮率が低の状態で記憶される。
【００５７】
上記画像表示回路２１３は、イメージセンサ２１０で撮像された画像データを表示するための回路であり、一般にはカラーの液晶表示素子により構成される。
【００５８】
画像データコントローラ２２０は、ＤＲＡＭ２２１上の画像データを、Ｄ／Ａコンバータ２１５によりアナログ信号に変換してエンコーダ回路３１へ出力する。エンコーダ回路３１はこのＤ／Ａコンバータ２１５の出力を、上記画像表示回路２１３を駆動する際に必要な映像信号（例えばＮＴＳＣ信号）に変換する。
【００５９】
上記画像圧縮回路３４は、ＤＲＡＭ２２１に記憶された画像データの圧縮や変換（例えばＪＰＥＧ）を行うための回路である。変換された画像データは、画像データ記録メディア２１８へ格納される。この記録メディアとしては、ハードディスク、フラッシュメモリ、フロッピー(登録商標)ディスク等が使用される。
【００６０】
さらにシステムコントローラ２２３には、当該電子カメラの動作モードの情報や露出情報（シャッタ秒時、絞り値等）の表示を行うための動作表示回路２２５と、測光・測距などの撮影準備動作を開始させるためのレリーズＳＷ１（２３１）、撮像動作を開始させるためのレリーズＳＷ２（２３０）と、ユーザが所望の動作を当該電子カメラに実行させるべくモードを設定するモード設定ＳＷ２２９と、各種選択パラメータの中から所望のものを選択するための選択ＳＷ２２８と、選択されたパラメータを決定するための決定ＳＷ２２７と、回転動作によりパラメータをアップダウンさせて表示する電子ダイヤルＳＷ２２６とが接続されている。また、２３２はストロボであり、ＡＦ補助光の投光機能、ストロボ調光機能も有する。
【００６１】
なお、システムコントローラ２２３がストロボ２３２に電気的信号で信号を送ることによってストロボ２３２の投光を禁止することができる。
【００６２】
なお、システムコントローラ２２３が撮影画像データに撮影状況の情報を添付し、これを読み取ることによってデータの分類を行うことができる。
【００６３】
なお、システムコントローラ２２３は、モード選択２２９スイッチが押され、電気的信号がシステムコントローラ２２３へ送られても、その信号を拒否することができる。
【００６４】
次に図２のフローチャートを参照して第一の実施例の形態にかかわるＡＦキャリブレーション時の撮影条件設定方法を説明する。
【００６５】
この処理はＡＦキャリブレーションモードを選択されることによって開始される。このモードは電子ダイヤルＳＷ２２６と選択ＳＷ２２８によって選択され、決定ＳＷ２２７よって決定される。
【００６６】
Ｓ１０１でＡＦキャリブレーションモードが開始されると、ステップＳ１０２に進み、Ｓ１０２においてＡＦキャリブレーションの作業で使わないスイッチの信号を拒否するように設定する。
【００６７】
ステップＳ１０２において所定の操作部材の信号のみ受け付けるように設定されると、ステップＳ１０３においてカメラ２００のドライブモードを単写に設定する。ドライブモードを単写設定されるとステップＳ１２４に進み、画像の記録形式と圧縮率を自動的に設定する。これはシステムコンローラ２２３が画像データコントローラ２２０を介し、画像圧縮回路２１９に信号を送ることにより行われるものである。ステップＳ１２４において、画像の記録形式と圧縮率が設定されると、ステップＳ１０４に進み、カメラ２００はＳＷ１（２３１）がＯＮされているかどうか検知する。
【００６８】
カメラ２００のレリーズＳＷ１（２３１）が入っているとステップＳ１０５に進み、カメラ２００は装着されたレンズがＩＳ機能を持っているかどうか判定を行う。カメラ２００はインターフェース１０７を介してレンズ１００と通信を行うことによって、レンズ１００がＩＳ機能を所持しているか判定する。
【００６９】
レンズ１００がＩＳ機能を所持していると判定された場合、ステップＳ１０６に進み、ＩＳ機能を自動的にオンする処理をする。これはカメラ２００のシステムコントローラ２２３がインターフェース１０７を介してレンズ制御回路１０４と通信を行うことにより設定される。
【００７０】
レンズ１００のＩＳ機能がオンになるとステップＳ１０７とステップＳ１０８に同時に進み、それぞれ処理を行う。
【００７１】
一方、ステップＳ１０５においてレンズ１００がＩＳ機能を所持していないと判定すると、そのままステップＳ１０７とステップＳ１０８に進む。
【００７２】
ステップＳ１０７では被写体との距離を測定する測距を行う。これはレンズ１００から入射した像がハーフミラー２０２とペンタプリズム２０１とＡＦミラー２０３を介してＡＦセンサー２０４に送られ、その情報が焦点検出回路２０５に送られることにより行われる。
【００７３】
ステップＳ１０７測距を行ったのち、ステップＳ１０８で測距時のコントラストの判定を行う。コントラストの値がＡＦの精度に影響のない範囲であればＯ．Ｋとし、ＡＦの精度に影響の出る範囲ならばＮ．Ｇと判定する。ステップＳ１０８でコントラストの値がＯ．Ｋと判定されると、次のステップＳ１０９に進みＡＦ基準位置の設定が行われる。
【００７４】
一方、ステップＳ１０８でコントラストの値がＮ．Ｇと判定された場合は、ステップＳ１３０へ進み、補助光の投光と撮影を禁止する。
【００７５】
一方、ステップＳ１０６からステップＳ１１０へ進むと測光の処理を行う。この測光はレンズ１００とハーフミラー２０２とペンタプリズム２０１を介して得られら像を測光回路２０７に送って処理される。
【００７６】
ステップＳ１１０で測光を行った後、ステップＳ１１１へ進んで測光結果の輝度を判定する。輝度の値がＡＦの精度に影響ない範囲であればＯ．Ｋとし、ＡＦの精度に影響の出る範囲ならばＮ．Ｇと判定する。
【００７７】
ステップＳ１１１で輝度の値がＯ．Ｋと判定された場合はステップＳ１１２へ進み、露出値の決定を行う。
【００７８】
一方、Ｓ１１１にて輝度の値がＮ．Ｇと判定された場合はステップＳ１３０へ進み補助光の投光を決定し、Ｓ１１２へ進む。
【００７９】
ステップＳ１１２で露出値が決定されると、ステップＳ１１３でＴｖ値を算出する。このとき絞りは開放にしたままとして計算する。
【００８０】
ステップＳ１１３でＴｖ値が算出されると、ステップＳ１１４においてそのＴｖ値が所定の値より大きいか判別する。これはＴｖ値を所定値以上とすることで、撮影時の手ブレを防ごうとする物である。ここで所定のＴｖ値とは（１／焦点距離）とする。
【００８１】
一方、ステップＳ１１４において算出されたＴｖ値が所定の値より低かった場合、ステップＳ１３２に進む。ここではＴｖ値を所定値以上になる様、撮像素子のゲインアップを行い、再度Ｔｖ値を算出する。撮像素子のゲインアップとはＩＳＯ感度を上げることである。
【００８２】
ステップＳ１０９でＡＦ基準位置の設定が行われ、かつ、ステップＳ１１４またはステップＳ１３２で所定値以上のＴｖ値が算出されると、ステップＳ１１５にてピント位置ズラシの処理を行う。このピント位置ズラシはデフォーカス撮影を行うために行うもので、ズレ量は装着されたレンズの合焦幅から決定される。
【００８３】
ステップＳ１１５でピントの位置ズラシが行われると、ステップＳ１１６でレンズの絞込み駆動を禁止する。これは絞込みをせずに撮影を行うことで、撮影画像を見たときにピント位置がどこであるのか、判別し易くするためである。
【００８４】
ステップＳ１１６において絞込み駆動を禁止すると、ステップＳ１１７に進む。ここではＳＷ２（２３０）が押されたか否かを検知する。
【００８５】
ステップＳ１１７においてＳＷ２（２３０）が押されたことを検知すると、ステップＳ１１８へ進みＢＣを行う。カメラ内の電圧を検知して電池の残容量を測る。電池の残容量がＡＦキャリブレーションモードを終了するまで十分にもつものであればＯ．Ｋとし、ＡＦキャリブレーション中に切れてしまうような電池容量であればＮ．Ｇとする。
【００８６】
ステップＳ１１８で電池容量が十分であると判定されると、ステップＳ１１９に進んで撮影のための露出制御が行われる。
【００８７】
一方、Ｓ１１８で電池容量がＮ．Ｇと判定されると、Ｓ１３２にて撮影禁止の処理を行い、Ｓ１３３で電池容量が不足している旨を警告する表示をＴＦＴウインドウに出す。
【００８８】
ステップＳ１１９で露出制御が行われ、イメージセンサ２１０に光を変換した電気信号が蓄積されると、ステップＳ１２０にてこれらの電気信号が画像として読み出される。
【００８９】
ステップＳ１２０にて画像のデータがイメージセンサ２１０から読み出されると、ステップＳ１２１にて読み出された画像を保存する。これはイメージセンサ２１０からＡ／Ｄコンバータ２１６、画像データコントローラ２２０、画像圧縮回路２１９を介して、画像データ記録メディア２１８に記録される。
【００９０】
ステップＳ１２１で画像データが保存されると、ステップＳ１２２へ進み、ＡＦキャリブレーションを行うために必要な所定回数撮影を行ったかの判定を行う。所定の回数はユーザが自身で設定できるようにしてもよい。
【００９１】
一方、ステップＳ１２２において所定回数撮影がなされていないと判断されると、ステップＳ１１５の前に戻り、ステップＳ１１５からステップＳ１２１の処理を繰り返す。
【００９２】
ステップＳ１２２にて撮影が所定回数されていると判断されるとステップＳ１２３の画像選択シーケンスへ進み、ＡＦキャリブレーションの撮影行程を終了する。
【００９３】
ブロック図には表記していないが、画像撮影シーケンスでは、撮影した画像の中から一番ピントのあっているものをユーザが選択し、その選択した画像のＡＦ補正値を正規のＡＦ補正値に加味して算出した補正値を設定することができる。
【実施例２】
【００９４】
本実施例の構成（ブロック図）は実施例１と同一であるため、詳細の説明は省略する。
【００９５】
図３のフローチャートを参照して第二の実施例の形態にかかわるＡＦキャリブレーション時の撮影条件設定方法を説明する。
【００９６】
この処理はＡＦキャリブレーションモードを選択されることによって開始される。このモードは電子ダイヤルＳＷ２２６と選択ＳＷ２２８によって選択され、決定ＳＷ２２７によって決定される。
【００９７】
Ｓ２０１でＡＦキャリブレーションモードが開始されると、ステップＳ２０２に進み、Ｓ２０２においてＡＦキャリブレーションの作業で使わないスイッチの信号を拒否するように設定する。
【００９８】
ステップＳ２０２において所定の操作部材の信号のみ受け付けるように設定されると、ステップＳ２０３においてカメラ２００のドライブモードを単写に設定する。ドライブモードを単写設定されるとステップＳ１２４に進み、画像の記録形式と圧縮率を自動的に設定する。これはシステムコンローラ２２３が画像データコントローラ２２０を介し、画像圧縮回路２１９に信号を送ることにより行われるものである。
【００９９】
ステップＳ１２４において、画像の記録形式と圧縮率が設定されると、ステップＳ２０４に進み、カメラ２００はＳＷ１（２３１）がＯＮされているかどうか検知する。
【０１００】
カメラ２００のレリーズＳＷ１（２３１）が入っているとステップＳ２０５に進み、カメラ２００は装着されたレンズがＩＳ機能を持っているかどうか判定を行う。カメラ２００はインターフェース１０７を介してレンズ１００と通信を行うことによって、レンズ１００がＩＳ機能を所持しているか判定する。
【０１０１】
レンズ１００がＩＳ機能を所持していると判定された場合、ステップＳ２０６に進み、ＩＳ機能を自動的にオンする処理をする。これはカメラ２００のシステムコントローラ２２３がインターフェース１０７を介してレンズ制御回路１０４と通信を行うことにより設定される。
【０１０２】
レンズ１００のＩＳ機能がオンになるとステップＳ２０７とステップＳ２０８に同時に進み、それぞれ処理を行う。
【０１０３】
一方、ステップＳ２０５においてレンズ１００がＩＳ機能を所持していないと判定すると、そのままステップＳ２０７とステップＳ２０８に進む。
【０１０４】
ステップＳ２０７では被写体との距離を測定する測距を行う。これはレンズ１００から入射した像がハーフミラー２０２とペンタプリズム２０１とＡＦミラー２０３を介してＡＦセンサー２０４に送られ、その情報が焦点検出回路２０５に送られることにより行われる。
【０１０５】
ステップＳ２０７測距を行ったのち、ステップＳ２０８で測距時のコントラストの判定を行う。コントラストの値がＡＦの精度に影響のない範囲であればＯ．Ｋとし、ＡＦの精度に影響の出る範囲ならばＮ．Ｇと判定する。ステップＳ２０８でコントラストの値がＯ．Ｋと判定されると、次のステップＳ２０９に進みＡＦ基準位置の設定が行われる。
【０１０６】
一方、ステップＳ２０８でコントラストの値がＮ．Ｇと判定された場合は、ステップＳ２３０へ進み、補助光の投光を決定して、次のステップＳ２０９に進む。
【０１０７】
一方、ステップＳ２０６からステップＳ２１０へ進むと測光の処理を行う。この測光はレンズ１００とハーフミラー２０２とペンタプリズム２０１を介して得られら像を測光回路２０７に送って処理される。
【０１０８】
ステップＳ２１０で測光を行った後、ステップＳ２１１へ進んで測光結果の輝度を判定する。輝度の値がＡＦの精度に影響ない範囲であればＯ．Ｋとし、ＡＦの精度に影響の出る範囲ならばＮ．Ｇと判定する。
【０１０９】
ステップＳ２１１で輝度の値がＯ．Ｋと判定された場合はステップＳ２１２へ進み、露出値の決定を行う。
【０１１０】
一方、Ｓ２１１にて輝度の値がＮ．Ｇと判定された場合はステップＳ２３０へ進み補助光の投光を決定し、Ｓ２１２へ進む。
【０１１１】
ステップＳ２１２で露出値が決定されると、ステップＳ２１３でＴｖ値を算出する。このとき絞りは開放にしたままとして計算する。
【０１１２】
ステップＳ２１３でＴｖ値が算出されると、ステップＳ２１４においてそのＴｖ値が所定の値より大きいか判別する。これはＴｖ値を所定値以上とすることで、撮影時の手ブレを防ごうとする物である。ここで所定のＴｖ値とは（１／焦点距離）とする。
【０１１３】
一方、ステップＳ２１４において算出されたＴｖ値が所定の値より低かった場合、ステップＳ２３２に進む。ここではＴｖ値を所定値以上になる様、撮像素子のゲインアップを行い、再度Ｔｖ値を算出する。撮像素子のゲインアップとはＩＳＯ感度を上げることである。
【０１１４】
ステップＳ２０９でＡＦ基準位置の設定が行われ、かつ、ステップＳ２１４またはステップＳ２３２で所定値以上のＴｖ値が算出されると、ステップＳ２１５にてピント位置ズラシの処理を行う。このピント位置ズラシはデフォーカス撮影を行うために行うもので、ズレ量は装着されたレンズの合焦幅から決定される。
【０１１５】
ステップＳ２１５でピントの位置ズラシが行われると、ステップＳ２１６でレンズの絞込み駆動を禁止する。これは絞込みをせずに撮影を行うことで、撮影画像を見たときにピント位置がどこであるのか、判別し易くするためである。
【０１１６】
ステップＳ２１６において絞込み駆動を禁止すると、ステップＳ２１７に進む。ここではＳＷ２（２３０）が押されたか否かを検知する。
【０１１７】
ステップＳ２１７においてＳＷ２（２３０）が押されたことを検知すると、ステップＳ２１８へ進みＢＣを行う。カメラ内の電圧を検知して電池の残容量を測る。電池の残容量がＡＦキャリブレーションモードを終了するまで十分にもつものであればＯ．Ｋとし、ＡＦキャリブレーション中に切れてしまうような電池容量であればＮ．Ｇとする。
【０１１８】
テップＳ２１８で電池容量が十分であると判定されると、ステップＳ２１９に進んで撮影のための露出制御が行われる。
【０１１９】
一方、Ｓ２１８で電池容量がＮ．Ｇと判定されると、Ｓ２３１にて撮影禁止の処理を行い、Ｓ２３２で電池容量が不足している旨を警告する表示をＴＦＴウインドウに出す。
【０１２０】
ステップＳ２１９で露出制御が行われ、イメージセンサ２１０に光を変換した電気信号が蓄積されると、ステップＳ２２０にてこれらの電気信号が画像として読み出される。
【０１２１】
ステップＳ２２０にて画像のデータがイメージセンサ２１０から読み出されると、ステップＳ２２１にて読み出された画像を保存する。これはイメージセンサ２１０からＡ／Ｄコンバータ２１６、画像データコントローラ２２０、画像圧縮回路２１９を介して、画像データ記録メディア２１８に記録される。このとき、画像データには撮影時の補助光の有無に関するデータが添付され、この情報によってデータの分類がなされる。
【０１２２】
ステップＳ２２１で画像データが保存されると、ステップＳ２２２へ進み、ＡＦキャリブレーションを行うために必要な所定回数撮影を行ったかの判定を行う。所定の回数はユーザが自身で設定できるようにしてもよい。
【０１２３】
一方、ステップＳ２２２において所定回数撮影がなされていないと判断されると、ステップＳ２１５の前に戻り、ステップＳ２１５からステップＳ１２１の処理を繰り返す。
【０１２４】
ステップＳ２２２にて撮影が所定回数されていると判断されるとステップＳ２２３の画像選択シーケンスへ進み、ＡＦキャリブレーションの撮影行程を終了する。
【０１２５】
フローチャートには表記していないが、画像撮影シーケンスでは、撮影した画像の中から一番ピントのあっているものをユーザが選択し、その選択した画像のＡＦ補正値を正規のＡＦ補正値に加味して算出した補正値を設定することができる。
【０１２６】
また、補助光は撮影ごとにその投光が決定されるのではなく、一連のＡＦキャリブレーション作業ごとに投光の決定がなされる。また、データ管理は、一連のキャリブレーションで撮影された画像データにストロボ投光の有無の情報を添付し、これを読み取ることによってデータの分類を行う。
【図面の簡単な説明】
【０１２７】
【図１】本発明の実施例のブロック図である。
【図２】本発明の第一実施例のフローチャートである。
【図３】本発明の第二実施例のフローチャートである。
【符号の説明】
【０１２８】
１００  撮影レンズユニット  
１０１  撮影レンズ
１０２  絞り
１０３  レンズ駆動機構
１０４  レンズ制御回路
１０５  絞り駆動機構
１０６  絞り制御回路
１０７  電気的接点群
１０８  ＩＳ制御回路
１０９  ＩＳ駆動機構
２００  電子カメラ
２０１  ペンタプリズム
２０２  クイックリターンミラー
２０３  サブミラー
２０４  ＡＦセンサ
２０６  接眼レンズ
２０７  測光回路
２０８  フォーカルプレーンシャッタ
２０９  フィルタ
２１０  イメージセンサ
２１１  シャッタチャージ・ミラー駆動機構
２１２  シャッタ制御回路
２１３  画像表示回路
２１４  エンコーダ回路
２１５  Ｄ／Ａコンバータ
２１６  Ａ／Ｄコンバータ
２１７  タイミングパルス発生回路
２１８  画像データ記録メディア
２１９  画像圧縮回路
２２０  画像データコントローラ
２２１  ＤＲＡＭ
２２２  ＥＥＰＲＯＭ
２２３  システムコントローラ
２２４  通信インターフェース回路
２２５  動作表示回路
２２６  電子ダイヤルＳＷ
２２７  決定ＳＷ
２２８  測距エリア選択ＳＷ
２２９  モード設定ＳＷ
２３０  レリーズＳＷ２
２３１  レリーズＳＷ１
２３２  ストロボ
２３３  ＡＧＣ
【図１】
2006208782.tif 000003
【図２】
2006208782.tif 000004
【図３】
2006208782.tif 000005